(57)【特許請求の範囲】
【請求項１】
カラー画像データによって表されるカラー画像を表示画面上に表示するように表示装置を制御する第１の表示制御手段，
メタ情報登録指令に応じて，上記第１の表示制御手段の制御のもとに表示されるカラー画像上に，複数の色が配列されたカラー・バーを表示するように上記表示装置を制御する第２の表示制御手段，
上記第２の表示制御手段の制御のもとに表示されたカラー・バーのうち一色を指定する色指定手段，
上記表示画面上に表示されているカラー画像のうち，上記色指定手段によって指定された色に対応した色をもつ画像部分を他の部分と区別して表示し，かつ上記指定された色に対応したキーワードを表示するように上記表示装置を制御する第３の表示制御手段，
上記第３の表示制御手段の制御のもとに表示されるキーワードの中から所望のキーワードを選択するキーワード選択手段，ならびに
上記キーワード選択手段によって選択されたキーワードを表すデータと上記色指定手段によって指定された色を表すデータとを上記第１の表示制御手段の制御のもとに表示されるカラー画像を表すカラー画像データに関連づけて記録媒体に記録する記録制御手段，
を備えたメタ情報付加装置。
【請求項２】
上記記録制御手段は，上記色指定手段によって指定された色に対応した色をもつ画像部分を表すデータを上記カラー画像データにさらに関連づけて記録媒体に記録するものである，請求項１に記載のメタ情報付加装置。
【請求項３】
上記色指定手段によって指定された色を表す文字または上記キーワード選択手段によって選択されたキーワードを上記色指定手段によって指定された色に対応した色をもつ画像部分の近傍に表示するように表示装置を制御する第４の表示制御手段をさらに備えた請求項１に記載のメタ情報付加装置。
【請求項４】
カラー画像データによって表されるカラー画像のうち特定の色をもつ画像部分を表すデータ，その特定の色を表すデータ，およびその画像部分のキーワードを表すデータが関連づけられているカラー画像データによって表されるカラー画像を表示画面上に表示するように表示装置を制御する第１の表示制御手段，
メタ情報呼出指令に応じて，上記カラー画像データに関連づけられている上記特定の色データによって表される色が配列されているカラー・バーを表示するように上記表示装置を制御する第２の表示制御手段，
上記第２の表示制御手段の制御のもとに表示されるカラー・バーのうち一色を指定する色指定手段，
上記表示画面上に表示されているカラー画像のうち，上記色指定手段によって指定された色をもつ画像部分のキーワードを表すデータにもとづいてキーワードを表示画面上に表示するように上記表示装置を制御する第３の表示制御手段，
を備えた画像再生装置。
【請求項５】
上記第３の表示制御手段は，上記キーワードを表示し，かつ上記色指定手段によって指定された色をもつ画像部分を，カラー画像データに関連づけられている上記特定の色をもつ画像部分を表すデータにもとづいて他の部分と区別して表示するものである，請求項４に記載の画像表示装置。
【請求項６】
上記第３の表示制御手段の制御のもとに表示されているキーワードを指定するキーワード指定手段，
上記キーワード指定手段によって指定されたキーワードをもつカラー画像データを記録媒体から読み取るカラー画像データ読み取り手段，および
上記カラー画像データ読み取り手段から読み取られたカラー画像データによって表されるカラー画像を表示画面上に表示するように上記表示装置を制御する第４の表示制御手段，
をさらに備えた請求項４に記載の画像再生装置。
【請求項７】
第１の表示制御手段が，カラー画像データによって表されるカラー画像を表示画面上に表示するように表示装置を制御し，
メタ情報登録指令に応じて，第２の表示制御手段が，上記第１の表示制御手段の制御のもとに表示されるカラー画像上に，複数の色が配列されたカラー・バーを表示するように上記表示装置を制御し，
色指定手段が，上記第２の表示制御手段の制御のもとに表示されたカラー・バーのうち一色を指定し，
第３の表示制御手段が，上記表示画面上に表示されているカラー画像のうち，上記色指定手段によって指定された色に対応した色をもつ画像部分を他の部分と区別して表示し，かつ上記指定された色に対応したキーワードを表示するように上記表示装置を制御し，
キーワード選択手段が，上記第３の表示制御手段の制御のもとに表示されるキーワードの中から所望のキーワードを選択し，
記録制御手段が，上記キーワード選択手段によって選択されたキーワードを表すデータと上記色指定手段によって指定された色に対応した色を表すデータとを上記第１の表示制御手段の制御のもとに表示されるカラー画像を表すカラー画像データに関連づけて記録媒体に記録する，
メタ情報付加装置の制御方法。
【請求項８】
第１の表示制御手段が，カラー画像データによって表されるカラー画像のうち特定の色をもつ画像部分を表すデータ，その特定の色を表すデータ，およびその画像部分のキーワードを表すデータが関連づけられているカラー画像データによって表されるカラー画像を表示画面上に表示するように表示装置を制御し，
第２の表示制御手段が，メタ情報呼出指令に応じて，上記カラー画像データに関連づけられている上記特定の色データによって表される色が配列されているカラー・バーを表示するように上記表示装置を制御し，
色指定手段が，上記第２の表示制御手段の制御のもとに表示されるカラー・バーのうち一色を指定し，
第３の表示制御手段が，上記表示画面上に表示されているカラー画像のうち，上記色指定手段によって指定された色をもつ画像部分のキーワードを表すデータにもとづいてキーワードを表示画面上に表示するように上記表示装置を制御する，
画像再生装置の制御方法。
【請求項９】
カラー画像データによって表されるカラー画像を表示画面上に表示するように表示装置を制御させる第１の表示制御を行わせる手順，
メタ情報登録指令に応じて，上記第１の表示制御のもとに表示されるカラー画像上に，複数の色が配列されたカラー・バーを表示するように上記表示装置を制御させる第２の表示制御を行わせる手順，
上記第２の表示制御のもとに表示されたカラー・バーのうち一色を指定させる手順，
上記表示画面上に表示されているカラー画像のうち，指定された色に対応した色をもつ画像部分を他の部分と区別して表示し，かつ上記指定された色に対応したキーワードを表示するように上記表示装置を制御させる第３の表示制御を行わせる手順，
上記第３の表示制御のもとに表示されるキーワードの中から所望のキーワードを選択させる手順，
選択されたキーワードを表すデータと指定された色に対応した色を表すデータを上記第１の表示制御のもとに表示されるカラー画像を表すカラー画像データに関連づけて記録媒体に記録させる手順をメタ情報付加装置のコンピュータに実行させるプログラム。
【請求項１０】
カラー画像データによって表されるカラー画像のうち特定の色をもつ画像部分を表すデータ，その特定の色を表すデータ，およびその画像部分のキーワードを表すデータが関連づけられているカラー画像データによって表されるカラー画像を表示画面上に表示するように表示装置を制御する第１の表示制御を行わせる手順，
メタ情報呼出指令に応じて，上記カラー画像データに関連づけられている上記特定の色データによって表される色が配列されているカラー・バーを表示するように上記表示装置を制御する第２の表示制御を行わせる手順，
上記第２の表示制御のもとに表示されるカラー・バーのうち一色を指定する手順，
上記表示画面上に表示されているカラー画像のうち，指定された色をもつ画像部分のキーワードを表すデータにもとづいてキーワードを表示画面上に表示するように上記表示装置を制御する第３の表示制御を行わせる手順を画像再生装置のコンピュータに実行させるプログラム。
【発明の詳細な説明】
【技術分野】
【０００１】
この発明は，メタ情報付加装置および画像再生装置ならびにそれらの制御方法およびそれらを制御するためのプログラムに関する。
【背景技術】
【０００２】
画像には，撮影日，撮影者名などの様々なメタ情報（属性情報）が付加されることがある。たとえば，画像から領域を抽出し，抽出された領域を解析して得られた特徴を属性情報として付与するものがある（特許文献１）。
【特許文献１】特開平10-49542号公報
【０００３】
また，画像の検索キーを作成する場合に絵を描く感覚で画像検索を行うものもある（特許文献２）。
【特許文献２】特開2002-215627号公報
【０００４】
さらに，画像の一部の領域に付された脚注の情報を分かりやすく表示するものもある（特許文献３）。
【特許文献３】特開2004-246454号公報
【０００５】
しかしながら，メタ情報を付加するのは面倒なことがある。
【発明の開示】
【０００６】
この発明は，比較的簡単にメタ情報を付加することを目的とする。
【０００７】
第１の発明によるメタ情報付加装置は，カラー画像データによって表されるカラー画像を表示画面上に表示するように表示装置を制御する第１の表示制御手段，メタ情報登録指令に応じて，上記第１の表示制御手段の制御のもとに表示されるカラー画像上に，複数の色が配列されたカラー・バーを表示するように上記表示装置を制御する第２の表示制御手段，上記第２の表示制御手段の制御のもとに表示されたカラー・バーのうち一色を指定する色指定手段，上記表示画面上に表示されているカラー画像のうち，上記色指定手段によって指定された色に対応した色をもつ画像部分を他の部分と区別して表示し，かつ上記指定された色に対応したキーワードを表示するように上記表示装置を制御する第３の表示制御手段，上記第３の表示制御手段の制御のもとに表示されるキーワードの中から所望のキーワードを選択するキーワード選択手段，ならびに上記キーワード選択手段によって選択されたキーワードを表すデータと上記色指定手段によって指定された色に対応した色を表すデータとを上記第１の表示制御手段の制御のもとに表示されるカラー画像を表すカラー画像データに関連づけて記録媒体に記録する記録制御手段を備えていることを特徴とする。
【０００８】
第１の発明は，上記メタ情報付加装置に適した制御方法も提供している。すなわち，この方法は，第１の表示制御手段が，カラー画像データによって表されるカラー画像を表示画面上に表示するように表示装置を制御し，メタ情報登録指令に応じて，第２の表示制御手段が，上記第１の表示制御手段の制御のもとに表示されるカラー画像上に，複数の色が配列されたカラー・バーを表示するように上記表示装置を制御し，色指定手段が，上記第２の表示制御手段の制御のもとに表示されたカラー・バーのうち一色を指定し，第３の表示制御手段が，上記表示画面上に表示されているカラー画像のうち，上記色指定手段によって指定された色に対応した色をもつ画像部分を他の部分と区別して表示し，かつ上記指定された色に対応したキーワードを表示するように上記表示装置を制御し，キーワード選択手段が，上記第３の表示制御手段の制御のもとに表示されるキーワードの中から所望のキーワードを選択し，記録制御手段が，上記キーワード選択手段によって選択されたキーワードを表すデータと上記色指定手段によって指定された色に対応した色を表すデータを上記第１の表示制御手段の制御のもとに表示されるカラー画像を表すカラー画像データに関連づけて記録媒体に記録するものである。
【０００９】
第１の発明は，上記メタ情報付加装置の制御方法を実行するためのプログラムも提供している。
【００１０】
第１の発明によると，カラー画像が表示画面上に表示される。メタ情報登録指令が与えられると，複数の色が配列されたカラー・バーもその表示画面上に表示される。カラー・バーのうちの一色が指定されると，表示されているカラー画像のうち指定された色に対応した色をもつ画像部分が他の部分と区別して表示され，かつ指定された色に対応するキーワードが表示される。表示されたキーワードの中から所望のキーワードが選択され，選択されたキーワードを表すデータ，指定された色に対応した色を表すデータがカラー画像データに関連づけられて記録媒体に記録される。カラー画像のうちの特定の色をもつ画像部分についてキーワード等のメタ情報を，比較的簡単に付与することができる。特に，指定された色に対応したキーワードが表示され，そのキーワードの中から所望のキーワードが選択される。表示されるキーワードは，指定された色によって絞り込まれるのできわめて多数のキーワードの中から所望のキーワードを選ぶ必要もない。比較的簡単にキーワードを選択できる。
【００１１】
上記記録制御手段は，上記色指定手段によって指定された色に対応した色をもつ画像部分を表すデータを上記カラー画像データにさらに関連づけて記録媒体に記録するものでもよい。
【００１２】
上記色指定手段によって指定された色を表す文字または上記キーワード選択手段によって選択されたキーワードを上記色指定手段によって指定された色に対応した色をもつ画像部分の近傍に表示するように表示装置を制御する第４の表示制御手段をさらに備えてもよい。
【００１３】
第２の発明による画像再生装置は，カラー画像データによって表されるカラー画像のうち特定の色をもつ画像部分を表すデータ，その特定の色を表すデータ，およびその画像部分のキーワードを表すデータが関連座けられているカラー画像データによって表されるカラー画像を表示画面上に表示するように表示装置を制御する第１の表示制御手段，メタ情報呼出指令に応じて，上記カラー画像データに関連づけられている上記特定の色データによって表される色が配列されているカラー・バーを表示するように上記表示装置を制御する第２の表示制御手段，上記第２の表示制御手段の制御のもとに表示されるカラー・バーのうち一色を指定する色指定手段，上記表示画面上に表示されているカラー画像のうち，上記色指定手段によって指定された色をもつ画像部分のキーワードを表すデータにもとづいてキーワードを表示画面上に表示するように上記表示装置を制御する第３の表示制御手段を備えていることを特徴とする。
【００１４】
第２の発明は，上記画像再生装置に適した制御方法も提供している。すなわち，この方法は，第１の表示制御手段が，カラー画像データによって表されるカラー画像のうち特定の色をもつ画像部分を表すデータ，その特定の色を表すデータ，およびその画像部分のキーワードを表すデータが関連座けられているカラー画像データによって表されるカラー画像を表示画面上に表示するように表示装置を制御し，第２の表示制御手段が，メタ情報呼出指令に応じて，上記カラー画像データに関連づけられている上記特定の色データによって表される色が配列されているカラー・バーを表示するように上記表示装置を制御し，色指定手段が，上記第２の表示制御手段の制御のもとに表示されるカラー・バーのうち一色を指定し，第３の表示制御手段が，上記表示画面上に表示されているカラー画像のうち，上記色指定手段によって指定された色をもつ画像部分のキーワードを表すデータにもとづいてキーワードを表示画面上に表示するように上記表示装置を制御するものである。
【００１５】
第２の発明は，上記画像再生装置の制御方法を実行するためのプログラムも提供している。
【００１６】
第２の発明によると，表示画面上にカラー画像が表示される。メタ情報呼出指令が与えられると，カラー画像を表すカラー画像データに関連づけられている特定の色データによって表される色が配列されたカラー・バーが表示画面上に表示される。カラー・バーのうちの一色が指定されると，表示されているカラー画像のうち，指定された色をもつ画像部分のキーワードが表示される。カラー画像にどのようなキーワードが付加されているかが分かる。
【００１７】
上記第３の表示制御手段は，上記キーワードを表示し，かつ上記色指定手段によって指定された色をもつ画像部分を，カラー画像データに関連づけられている上記特定の色をもつ画像部分を表すデータにもとづいて他の部分と区別して表示するものでもよい。
【００１８】
上記第３の表示制御手段の制御のもとに表示されているキーワードを指定するキーワード指定手段，上記キーワード指定手段によって指定されたキーワードをもつカラー画像データを記録媒体から読み取るカラー画像データ読み取り手段，および上記カラー画像データ読み取り手段から読み取られたカラー画像データによって表されるカラー画像を表示画面上に表示するように上記表示装置を制御する第４の表示制御手段をさらに備えてもよい。
【実施例】
【００１９】
図１は，この発明の実施例を示すもので，ディジタル・スチル・カメラの背面図である。
【００２０】
ディジタル・スチル・カメラ１の背面には，そのほぼ全体にわたって表示画面２が形成されている。表示画面２の右上には，上下左右の矢印が押下可能に形成されているいわゆる十字キー３が設けられている。この十字キー３の下にはモード・ダイアル４が設けられている。モード・ダイアル４によって撮像モード，再生モード，送信モードなどのモードを設定することができる。
【００２１】
表示画面２の右側には，メタ情報登録ボタン５，メタ情報呼出ボタン６，メニュー・ボタン７および決定ボタン８が設けられている。メタ情報登録ボタン５は，後述するように画像にメタ情報を登録するときにユーザによって押されるボタンである。メタ情報呼出ボタン６は，画像に登録されているメタ情報を利用した他の画像を見つけるときにユーザによって押されるボタンである。メニュー・ボタン７は，メニューを利用した操作を行うときにユーザによって押されるボタンである。決定ボタン８は，ディジタル・スチル・カメラ１に決定指令を与えるときにユーザによって押されるボタンである。
【００２２】
図２は，ディジタル・スチル・カメラ１の電気的構成の一部を示すブロック図である。この実施例においては，再生モードを利用した処理が行われるために再生に関するブロックが図示されている（撮像ブロックについては図示略）。
【００２３】
ディジタル・スチル・カメラ１の全体の動作は，制御回路10によって統括される。
【００２４】
シャッタ・レリーズ・ボタン（図示略）のほか，上述したように，十字キー３，モード・ダイアル４等からの出力信号は，制御回路10に入力する。制御回路10には，データを一時的に記憶し，かつ所定のデータ，動作プログラム等が記憶されているメモリ12が接続されている。
【００２５】
再生モードが設定されると，メモリ・カード16に記録されている画像ファイルが読み出され，メモリ・カード・インターフェイス15を介して制御回路10に入力する。画像ファイルの画像データ記録領域に記録されている画像データが表示制御回路13に与えられると，表示制御回路13によって表示装置14が制御され，その画像データによって表される画像が表示画面に表示される。
【００２６】
送信モードが設定されると，上述のようにメモリ・カード16から読み出された画像ファイルは，メモリ・カード・インターフェイス15および制御回路10を介して通信制御回路18に入力する。通信制御回路18により通信回路17が制御されることにより，メモリ・カード16から読み出された画像ファイルが他のディジタル・スチル・カメラ等に送信される。ディジタル・スチル・カメラ１は，他のディジタル・スチル・カメラから送信された画像ファイルを受信することもできる。他のディジタル・スチル・カメラから送信された画像ファイルは，通信回路17によって受信され，通信制御回路18，制御回路10およびメモリ・カード・インターフェイス15を介してメモリ・カード16に与えられ，記録される。
【００２７】
後述する動作を制御するためのプログラムも通信回路17から受信することができる。通信回路17によって受信されたプログラムは，通信制御回路18および制御回路10を介してメモリ12に与えられ，記憶される。メモリ12に記憶された動作プログラムにしたがって，ディジタル・スチル・カメラ１が後述する動作を行うことができる。
【００２８】
図３は，画像ファイルのファイル構造（データ構造）を示している。
【００２９】
画像ファイルにはヘッダ記録領域および画像データ記録領域が含まれている。
【００３０】
画像データ記録領域には，画像データが記録されている。
【００３１】
ヘッダ記録領域には，画像ファイルの管理データ等のヘッダ情報が記録されている。とくに，この実施例によるディジタル・スチル・カメラにおいては，後述するように，カラー画像データによって表されるカラー画像の中から所望の色をもつ領域についてメタ情報としてのキーワードを付与することができる。このキーワードを表すデータ，その色をもつ領域を表す（領域を特定できればよい）データおよびその色を表すデータもヘッダ記録領域に記録される。
【００３２】
図４は，メタ情報付加処理手順を示すフローチャートである。図５から図９は，表示画面に表示される画像の一例である。
【００３３】
メモリ・カード16に格納されている多数の画像ファイルの中から所望の画像ファイルが読み取られる。すると，図５に示すように，読み取られた画像ファイルによって表されるカラー画像30が表示画面２上に表示される（ステップ21）。
【００３４】
表示画面２に表示されているカラー画像30のメタ情報を登録するときには，メタ情報登録ボタン５が押される（ステップ22でＹＥＳ）。すると，表示画面２の下部にカラー・バーが表示される（ステップ23）。
【００３５】
図６は，カラー・バーが表示されているカラー画像31の一例である。
【００３６】
カラー画像31の下部には，横方向に伸びているカラー・バー32が表示されている。カラー・バー32は，横方向の所定の幅ごとに異なる色が10色程度（10色でなく，さらに多くまたは少なくともよい）グラデーション表示されている。グラデーション表示でなく，単に所定の幅ごとに異なる色が表示されていてもよい。
【００３７】
カラー・バー32には，十字キー３の左右の矢印の押下に対応してカラー・バー32内を左右に移動するマーク33が表示されている。ユーザは，カラー・バー32におけるマーク33の位置によって色を指定することができる。
【００３８】
図４に戻って，カラー・バー32におけるマーク33の位置が検出される。表示されているカラー画像の中から，そのマーク33の位置によって特定される色の領域が点滅させられる。また，その色に対応するキーワード，色の文字が表示される（ステップ24）。
【００３９】
図７は，キーワード等が表示されているカラー画像の一例である。
【００４０】
カラー画像35の下部には上述したようにカラー・バー32が表示されている。このカラー・バー32のマーク33は，カラー・バー32の青色部分に位置しているとする。すると，青色が指定されたものとされ，カラー画像35の右側には青色に対応するキーワードを含むキーワード表43が表示される。キーワードには，「海」，「空」，「プール」，「ビニール・シート」，「花」などがある。キーワード表43の左側にはキーワードを指定するための矢印44が表示されている。この矢印44は，十字キー３の上下矢印の押下に応じてキーワード間を上下するものである。カラー画像35の上部には青色の空の画像部分41が含まれている。マーク33によって指定された色の画像部分として，空の画像部分41が点滅する（ハッチングで示されている）。もっとも，点滅しなくとも他の部分と区別できるように，たとえば，他の部分よりも暗く，または明るくされてもよい。さらに，この空の画像部分41中に，青色という文字42が表示されている。ユーザは，この青色という文字42を見ることにより，青色が指定されていること，カラー画像35のうち青色の画像部分41が点滅していること，表示されているキーワード表43は青色に関するものであることが分かる。
【００４１】
図５に戻って，カラー・バー32のマーク33が動かされると（ステップ25でＹＥＳ），動かされた位置によって指定される色の画像部分が点滅し，かつその色を表す文字，その色に対応したキーワード表がカラー画像上に表示される（ステップ24）。
【００４２】
図８は，マーク33が動かされたカラー画像36の一例である。
【００４３】
マーク33は，緑色の部分を指定するように動かされたものとする。すると，カラー画像36の右側には緑色についてのキーワードが含まれているキーワード表50が表示される。また，緑色の画像部分51が点滅し，緑という文字52が表示される。
【００４４】
再び図４に戻って，ユーザによってキーワードが選択される（ステップ25）。決定ボタン８が押されると，その決定ボタン８が押されたときに，矢印44が指しているキーワードが選択されることとなる。キーワードが選択されると，マーク33によって特定されている色を表す文字がキーワードの文字に変わる（ステップ27）。
【００４５】
図９は，色の文字が変わったカラー画像の一例である。
【００４６】
キーワード表50の中の「木」というキーワードが矢印44によって指し示されている。決定ボタン８が押されると，この矢印44によって指されている「木」というキーワードが画像部分51のキーワードとして決定される。すると，色の文字52（図８参照）の代わりに「木」という文字53が現れる。ユーザは，画像部分51について「木」というキーワードが付与されたことが分かる。
【００４７】
再び図４に戻って，キーワードが決定されると，点滅していた領域を表すデータ，色のデータおよびキーワードを表すデータが，表示されているカラー画像を表す画像データが格納されている画像ファイルのヘッダ記録領域に記録される（ステップ28）。
【００４８】
このようにして，カラー画像について，カラー画像のうち所望の色をもつ部分についてキーワードおよび色というメタ情報が付加される。一色だけでなく，その他の色についても同様にしてヘッダ記録領域にメタ情報が付加されるようにできるのはいうまでもない。
【００４９】
図10は，メタ情報呼出処理手順を示すフローチャートである。図11および図12は，カラー画像の一例である。
【００５０】
メタ情報付加処理と同様にカラー画像が表示画面に表示される（ステップ61）（図５参照）。メタ情報呼出ボタン６が押されると（ステップ62でＹＥＳ），メタ情報付加処理と同様にカラー・バーがカラー画像の下部に表示される（ステップ63）（図６参照）。
【００５１】
カラー・バーのマーク位置が検出され，そのマーク位置によって決定される色に対応するキーワードが，表示されているカラー画像を表す画像ファイルから読み取られる。読み取られたキーワードが表示される（ステップ64）。
【００５２】
図11は，キーワードが表示されたカラー画像の一例である。
【００５３】
カラー画像70の下部には，カラー・バー71が表示されている。カラー・バー71には，カラー・バー71内の色を指定するためのマーク72も表示されている。カラー・バー72は，上述したようにメタ情報付加処理においてヘッダ記録領域に記録された色データによって表される色を指定できるものである。たとえば，メタ情報付加処理においてカラー画像に対応して付加された色データが赤色，青色，緑色，白色，黒色，灰色，黄色であった場合にはカラー画像70にこれらの色以外の色が含まれていたとしてもカラー・バー71にはこれらの色以外の色は表示されない。もっとも，表示されるようにしてもよいのはいうまでもない。
【００５４】
カラー・バー71のマーク72によって指定された色（たとえば，赤色）に対応するキーワード・データがヘッダ記録領域から読み取られ，読み取られたキーワード・データによって表されるキーワード73（「太陽」の文字）がカラー画像70上に表示される。このキーワード73は，上述したようにキーワードが付与された画像部分の近傍に表示される。たとえば，画像部分といて太陽の部分が特定されているとその太陽の画像部分の近傍にキーワードとして「太陽」の文字が表示される。
【００５５】
図10に戻って，カラー・バー71のマーク72の位置が動かされると（ステップ65でＹＥＳ），その動かされた位置の色に対応するキーワードが表示される（ステップ64）。
【００５６】
図12は，カラー画像の一例である。
【００５７】
カラー・バー71のマーク72が，赤色の部分から水色の部分に移動されたものとする。また，水色に対応してカラー画像75にはキーワードとして「海」が登録されていたとする。すると，図11に表示されていた「太陽」という文字73が徐々に薄くなって消えていき，「海」という文字74のキーワードが徐々に現れる。
【００５８】
再び図10に戻って，決定ボタン８が押されると（ステップ66でＹＥＳ），その決定ボタン８が押されたときに表示されているキーワードが検索用キーワードとなる。メモリ・カード16に記録されている他の画像ファイルから検索キーワードをもつ画像ファイルが見つけられる（ステップ67）。見つけられた画像ファイルによって表されるカラー画像が表示画面上に表示される（ステップ68）。所望のキーワードをもつ画像を見つけ出すことができる。
【図面の簡単な説明】
【００５９】
【図１】ディジタル・スチル・カメラの背面図である。
【図２】ディジタル・スチル・カメラの電気的構成を示すブロック図である。
【図３】画像ファイルのファイル構造を示している。
【図４】メタ情報付加処理手順を示すフローチャートである。
【図５】カラー画像の一例である。
【図６】カラー画像の一例である。
【図７】カラー画像の一例である。
【図８】カラー画像の一例である。
【図９】カラー画像の一例である。
【図１０】メタ情報呼出処理手順を示すフローチャートである。
【図１１】カラー画像の一例である。
【図１２】カラー画像の一例である。
【符号の説明】
【００６０】
１  ディジタル・スチル・カメラ
２  表示画面
５  メタ情報登録ボタン
６  メタ情報呼出ボタン
10  制御回路
13  表示制御回路
14  表示装置
【図１】
0004747024.tif 000002
【図２】
0004747024.tif 000003
【図３】
0004747024.tif 000004
【図４】
0004747024.tif 000005
【図５】
0004747024.tif 000006
【図６】
0004747024.tif 000007
【図７】
0004747024.tif 000008
【図８】
0004747024.tif 000009
【図９】
0004747024.tif 000010
【図１０】
0004747024.tif 000011
【図１１】
0004747024.tif 000012
【図１２】
0004747024.tif 000013